(57)【要約】【課題】  夏場の暑い寝苦しい夜でも、快適に眠ることができる、安眠まくらを提供すること。【解決手段】  まくら素材２の下部分割部２ｃと、左下分割部２ｅにそれぞれ凹部２ｇを形成するとともに、上部分割部２ｂに複数の貫通して開いている吸気口２ｆを形成し、凹部２ｇに立体格子空間材Ａ３を載置し、この立体格子空間材Ａ３の一方の端部３ｃを挟持するが如く吸気ホルダー４を載置し、この立体格子空間材Ａ３の他の周囲を前記複数個に分割されたまくら素材２を貼り合わせ密閉してまくら本体５を形成し、このまくら本体５の上部に立体格子空間材Ｂ６を載置し、前記吸気ホルダー４と一体に設けたホース口７にホース９を接続し、このホース９の他端に吸気ファン１２と、制御手段１３とを内蔵した吸気手段１４を接続し、睡眠時に必要に応じて前記制御手段１３により吸気手段１４を作動させ、頭部周辺の空気を吸気するようにした。【選択図】  図２
2005095360.tif 000002
【特許請求の範囲】
【請求項１】
複数個の上部分割部（２ｂ）と、下部分割部（２ｃ）と、右下分割部（２ｄ）と、左下分割部（２ｅ）に分割されたまくら素材（２）の前記下部分割部（２ｃ）と、前記左下分割部（２ｅ）にそれぞれ凹部（２ｇ）を形成するとともに、前記上部分割部（２ｂ）に複数の貫通して開いている吸気口（２ｆ）を形成し、前記凹部（２ｇ）に立体格子空間材Ａ（３）を載置し、この立体格子空間材Ａ（３）の一方の端部（３ｃ）を挟持するが如く吸気ホルダー（４）を載置し、この立体格子空間材Ａ（３）の他の周囲を前記複数個に分割されたまくら素材（２）を接着等の手段により貼り合わせ密閉してまくら本体（５）を形成し、このまくら本体（５）の上部に立体格子空間材Ｂ（６）を載置し、通気性の良い中袋（１０）の中に前記まくら本体（５）と前記立体格子空間材Ｂ（６）を収納し、前記吸気ホルダー（４）と一体に設けたホース口（７）に着脱自在に接続可能としたホースホルダー（８）を有するホース（９）を接続し、このホース（９）の他端に吸気ファン（１２）と、制御手段（１３）とを内蔵した吸気手段（１４）を接続し、睡眠時に必要に応じて前記制御手段（１３）により吸気手段（１４）を作動させ、中袋（１０）と立体格子空間材Ｂ（６）と吸気口（２ｆ）と立体格子空間材Ａ（３）と吸気ホルダー（４）とホース（９）を介して、頭部周辺の空気を吸気するようにしたことを特徴とするまくら。
【請求項２】
まくら素材（２）を低反発ポリウレタンフォームとしたことを特徴とする請求項１記載のまくら。
【請求項３】
立体格子空間材Ａ（３）、Ｂ（６）は、夫々の連通する空気層（３ｂ）、（６ｂ）を保つようにプラスチック製の糸を多数編み込んで構成したことを特徴とする請求項１記載のまくら。
【請求項４】
立体格子空間材Ｂ（６）の外周端部を、織り込み密度の高い材料のシール（６ｃ）で包囲して縫製固定したことを特徴とする請求項１記載のまくら。
【請求項５】
吸気手段（１４）に設けた操作部（１５）の操作により、吸気ファン（１２）の強弱などの動作を予め設定したプログラムに沿って切り替えるように制御手段（１３）で制御したことを特徴とする請求項１記載のまくら。
【発明の詳細な説明】
【技術分野】
【０００１】
本発明は、一般家庭で使用され、特に夏場の寝苦しさを解消し、使用者がより寝易く、熟睡できる安眠まくらに関するものである。
【背景技術】
【０００２】
従来、この種のまくらは、夏の暑い夜に頭部が汗でべとついたりしないで安眠可能とするため、頭部を適当に冷却できるように、まくら本体内に蓄冷体を内蔵し、蓄冷体の冷熱を伝熱板伝熱及びクッション作用を有するマット体を介してまくらの使用者の頭を冷やそうとするものであり、この蓄冷体を予め冷蔵庫や冷凍庫にて冷やしておいて使用することにより、冷感を得ようとするものである（例えば、特許文献１参照）。
【０００３】
また、まくらの枠部材の上面部に、網状のネットを張り付け多数の小孔が開いたネットを介して、まくら内の空気とまくら外の空気とが交換されるようにし、まくら内に熱や湿気が篭もることなくして、頭を冷ややかに保つことにより、冷感を得ようとするものである（例えば、特許文献２参照）。
【０００４】
【特許文献１】実開昭６２−９２７６２号公報
【０００５】
【特許文献２】特開平８−２９９１３９号公報
【発明の開示】
【発明が解決しようとする課題】
【０００６】
しかしながら、上記の従来技術において、前者のものは、使用する前に蓄冷体を冷蔵庫または冷凍庫に出し入れしなければならないため、取り扱いが面倒である。また、冷え過ぎて快適感が得られにくい。また、冷却時間が長持ちしない。更に、湿気が高いため爽快感が得られないといった問題がある。
【０００７】
後者のものは、まくら内の暖まった空気が素早く交換されず、それ程頭部が冷却されないため、冷感が得にくいという問題がある。
【課題を解決するための手段】
【０００８】
本発明は上記課題を解決するためになされたものであり、請求項１では、複数個の上部分割部と、下部分割部と、右下分割部と、左下分割部に分割されたまくら素材の前記下部分割部と、前記左下分割部にそれぞれ凹部を形成するとともに、前記上部分割部に複数の貫通して開いている吸気口を形成し、前記凹部に立体格子空間材Ａを載置し、この立体格子空間材Ａの一方の端部を挟持するが如く吸気ホルダーを載置し、この立体格子空間材Ａの他の周囲を前記複数個に分割されたまくら素材を接着等の手段により貼り合わせ密閉してまくら本体を形成し、このまくら本体の上部に立体格子空間材Ｂを載置し、通気性の良い中袋の中に前記まくら本体と前記立体格子空間材Ｂを収納し、前記吸気ホルダーと一体に設けたホース口に着脱自在に接続可能としたホースホルダーを有するホースを接続し、このホースの他端に吸気ファンと、制御手段とを内蔵した吸気手段を接続し、睡眠時に必要に応じて前記制御手段により吸気手段を作動させ、中袋と立体格子空間材Ｂと吸気口と立体格子空間材Ａと吸気ホルダーとホースを介して、頭部周辺の空気を吸気するようにしたものである。
【０００９】
また、請求項２では、まくら素材を低反発ポリウレタンフォームとしたものである。
【００１０】
また、請求項３では、立体格子空間材Ａ、Ｂは、夫々の連通する空気層を保つようにプラスチック製の糸を多数編み込んで構成したものである。
【００１１】
また、請求項４では、立体格子空間材Ｂの外周端部を、織り込み密度の高い材料のシールで包囲して縫製固定したものである。
【００１２】
また、請求項５では、吸気手段に設けた操作部の操作により、吸気ファンの強弱などの動作を予め設定したプログラムに沿って切り替えるように制御手段で制御したものである。
【発明の効果】
【００１３】
本発明の請求項１では、複数個の上部分割部と、下部分割部と、右下分割部と、左下分割部に分割されたまくら素材の前記下部分割部と、前記左下分割部にそれぞれ凹部を形成するとともに、前記上部分割部に複数の貫通して開いている吸気口を形成し、前記凹部に立体格子空間材Ａを載置し、この立体格子空間材Ａの一方の端部を挟持するが如く吸気ホルダーを載置し、この立体格子空間材Ａの他の周囲を前記複数個に分割されたまくら素材を接着等の手段により貼り合わせ密閉してまくら本体を形成し、このまくら本体の上部に立体格子空間材Ｂを載置し、通気性の良い中袋の中に前記まくら本体と前記立体格子空間材Ｂを収納し、前記吸気ホルダーと一体に設けたホース口に着脱自在に接続可能としたホースホルダーを有するホースを接続し、このホースの他端に吸気ファンと、制御手段とを内蔵した吸気手段を接続し、睡眠時に必要に応じて前記制御手段により吸気手段を作動させ、中袋と立体格子空間材Ｂと吸気口と立体格子空間材Ａと吸気ホルダーとホースを介して、頭部周辺の空気を吸気するようにしたことにより、まくら素材の上部分割部に形成した複数の吸気口から、まくら本体上面の空気を偏りなく吸気することにより、睡眠時に爽やかな涼風が頭や顔の周り全体をゆっくりと流れ、頭部周辺の熱を奪うので、夏場の寝苦しい夜も涼しく寝ることができる。
【００１４】
また、吸気ファンは、まくら本体と別体に設けてあり、まくら本体から十分な距離を離して置くことができるため、吸気ファンの動作音や排気風などの影響がなく、安眠することができるものである。
【００１５】
また、請求項２では、まくら素材を低反発ポリウレタンフォームとしたことにより、適度にクッション性があり気持ちよく安眠することが可能である。
【００１６】
また、請求項３では、立体格子空間材Ａ、Ｂは、夫々の連通する空気層を保つようにプラスチック製の糸を多数編み込んで構成したことにより、睡眠時に頭をまくらの上に載せたとき、まくら素材は中央部がつぶれて変形するが、まくら本体に収容された立体格子空間材Ａと、まくら本体の上部に載置された立体格子空間材Ｂはつぶれることなく、十分なる空間が確保されるため涼風の流れが妨げられることがないとともに、頭が極端にまくらに沈み込むことが無く、極めて気持ち良く安眠することが可能となる。
【００１７】
また、請求項４では、立体格子空間材Ｂの外周端部を、織り込み密度の高い材料のシールで包囲して縫製固定したことにより、一般的にプラスチック製の糸を多数織り込んで構成している立体格子空間材Ｂの切断面から、織り糸の切断面が多数突出してはみ出すのを防止することができるため、けがの防止を図ることができる。
【００１８】
また、請求項５では、吸気手段に設けた操作部の操作により、吸気ファンの強弱などの動作を予め設定したプログラムに沿って切り替えるように制御手段で制御したことにより、運転中は自然の風に近い空気の流れをまくらの上面に発生させることができ、この状態で睡眠すれば、爽やかな涼風が頭や顔の周りをゆっくりと流れ、頭部周辺の熱を奪い、夏場の寝苦しい夜も涼しく寝ることができる。
【発明を実施するための最良の形態】
【００１９】
以下、本発明の一実施例を図１〜図４を参照して説明する。
【００２０】
図１は本発明の一実施例を示すまくらの斜視図であり、図２は同じくまくらの一部断面を示す斜視図であり、図３は同じくまくらの右側面より見た部分縦断面図であり、図４は同じくまくらの正面より見た縦断面図である。
【００２１】
図において、１はまくらである。２はまくら素材であり、クッション性の良い低反発ポリウレタンフォームで構成され、詳細は上部分割部２ｂと、下部分割部２ｃと、右下分割部２ｄと、左下分割部２ｅとに複数個に分割され、下部分割部２ｃと左下分割部２ｅには、それぞれ凹部２ｇが形成してある。また、前記上部分割部２ｂには複数の吸気口２ｆが貫通して開いている。
【００２２】
３は立体格子空間材Ａで、プラスチック製の糸を多数編み込んで構成してあり、これにより連通した空気層３ｂが形成されていて、前記まくら素材２の下部分割部２ｃと、左下分割部２ｅに設けた凹部２ｇに載置してある。
【００２３】
４は吸気ホルダーで、まくら素材２の下部分割部２ｃと左下分割部２ｅに設けた凹部２ｇに載置してある前記立体格子空間材Ａ３の一方の端部３ｃを挟持する如く載置してある。
【００２４】
５はまくら本体で、まくら素材２の下部分割部２ｃと、左下分割部２ｅに設けた凹部２ｇに立体格子空間材Ａ３を載置し、この立体格子空間材Ａ３の一方の端部３ｃを挟持するが如く吸気ホルダー４を載置した後、前記立体格子空間材Ａ３の他の周囲を前記複数個に分割されたまくら素材２を接着等の手段により貼り合わせ密閉して形成したものである。
【００２５】
６は立体格子空間材Ｂで、前記まくら本体５の上部を覆うように載置してあり、プラスチック製の糸を多数編み込んで構成してあり、これにより連通した空気層６ｂが形成されている。また、立体格子空間材Ｂ６はプラスチック製の糸を多数編み込んで構成してあるため、切断面からは織り糸の切断面が多数突出しているので、けが防止用として折り込み密度の高い材料で作成したシール６ｃで外周端部を包囲して縫製固定し、はみ出し防止を計っている。
【００２６】
７は前記吸気ホルダー４と一体に設けたホース口である。
【００２７】
８はホースホルダーで、前記ホース口７に着脱自在に接続可能とし、ホース９の一端に設けてある。
【００２８】
１０はニット製の通気性の良い中袋で、まくら本体５と、このまくら本体５の上部を覆うように載置した立体格子空間材Ｂ６を収納している。
【００２９】
１１はニット製のまくらカバーで、肌ざわりが良く、また通気性が良いものであり、前記中袋１０及び中袋１０内に収納されたまくら本体５と立体格子空間材Ｂ６を収納している。
【００３０】
１４は吸気手段で、前記ホース９の他端に接続してあり、吸気ファン１２（図示せず）を作動させることにより、まくらカバー１１と中袋１０の隙間を通し、まくら本体５の上部に載置された立体格子空間材Ｂ６の連通する空気層６ｂから吸気口２ｆと、立体格子空間材Ａ３の連通する空気層３ｂと、吸気ホルダー４と、ホース口７と、ホースホルダー８と、ホース９を介してまくら１の上面から空気を吸気している。
【００３１】
１３は制御手段で、前記吸気手段１４に内蔵され、マイクロコンピューターで構成されていて、運転中は吸気ファン１２の強弱の動作を時間とともに変化をつけたゆらぎ動作を行わせて、自然の風に近いように予めプログラムされたシーケンスで吸気ファン１２を制御するものである。
【００３２】
１５は操作部で、吸気手段１４に設けてあり、この操作部１５の操作により、前記吸気ファン１２の強弱動作の程度を設定することができるものである。
【００３３】
１６は前記吸気手段１４に設けられた吸気ファン１２の排気口であり、１７は同じく吸気手段１４に設けられた電源コードである。
【００３４】
以上の構成による作用について説明する。
【００３５】
まず、使用時はまくら１をふとん上の所定の位置に置き、まくら１の側面に配したホース口７にホース９のホースホルダー８を差込み、吸気手段１４の操作部１５を操作し、吸気ファン１２の強弱動作の程度を設定すると、吸気手段１４に内蔵した吸気ファン１２が作動し、まくら１を包んでいるまくらカバー１１と、中袋１０の隙間から立体格子空間材Ｂ６の連通する空気層６ｂを通して、更にまくら素材２の上部分割部２ｂに開けた吸気口２ｆと、立体格子空間材Ａ３の連通する空気層３ｂと、吸気ホルダー４と、ホース口７と、ホースホルダー８と、ホース９を介してまくら１の上面から空気を吸気し、排気口１６より外方へ排気する。
【００３６】
そして、運転中は制御手段１３の制御により、吸気ファン１２の強弱の動作を時間とともに変化させたゆらぎの動作を行い、自然の風に近い空気の流れをまくら１の上面に発生させる。
【００３７】
この状態で睡眠すれば、爽やかな涼風が頭や顔の周りをゆっくりと流れ、頭部周辺の熱を奪うので、夏場の寝苦しい夜も涼しく寝ることができる。
【００３８】
また、吸気ファン１２は、まくら１と別体に設けてあり、まくら１から十分な距離を離して置いてあるため、吸気ファン１２の動作音や排気風などの影響がなく、安眠することができる。
【００３９】
また、まくら素材２は低反発ポリウレタンフォームで構成してあり、適度なクッション性を有するため気持ちよく安眠することが可能である。
【００４０】
また、立体格子空間材Ａ３、Ｂ６は、夫々の連通する空気層３ｂ、６ｂを保つようにプラスチック製の糸を多数編み込んで構成したことにより、睡眠時に頭をまくら１の上に載せたとき、まくら素材２は中央部がつぶれて変形するが、立体格子空間材Ａ３、Ｂ６はつぶれることなく、十分なる空間が確保されるため、涼風の流れが妨げられることがないとともに、頭が極端にまくら１に沈み込むことが無く、極めて気持ち良く安眠することが可能となる。
【００４１】
尚、本実施例では、立体格子空間材Ａ３、Ｂ６はプラスチック製の糸を編み込んだものにて構成しているが、樹脂製の成型品やへちまなど連通する空気層を有する立体格子空間が構成できるものであれば何でも良い。
【００４２】
また、まくら素材２についても、低反発ポリウレタンフォームにて構成したが、羽毛や、綿、プラスチック製のストローを短く切ったパイプなどまくらを構成できる素材であれば何でも良い。
【００４３】
また、まくら素材２は、低反発ポリウレタンフォームで構成しており、上記実施例では、上部分割部２ｂと、下部分割部２ｃと、右下分割部２ｄと、左下分割部２ｅに分割した中に凹部２ｇを設け、ここに立体格子空間材Ａ３を載置し、吸気ホルダー４で挟持した側以外の周囲は、前記分割したまくら素材２を接着等の手段により貼り合わせて密閉し、まくら本体５を構成するようにしているが、インジェクションコンやプレッション等の成形にて凹部２ｇ付きのまくら素材２を形成し、この凹部２ｇに吸気ホルダー４で端部３ｃを挟持した立体格子空間材Ａ３を挿入固定してまくら本体５を構成するようにしても良い。
【００４４】
また、立体格子空間材Ｂ６は中袋１０の中で、まくら本体５の上部に載置したが、中袋１０とまくらカバー１１との間に載置しても良い。このようにすれば取り外して洗うことも可能となる。
【００４５】
また、頭部周辺の空気を吸気するのに吸気手段１４内に吸気ファン１２を設けたが、吸引ポンプでも良い。
【００４６】
更に、制御手段１３の予めプログラムされたシーケンス動作は、吸気ファン１２の動作にゆらぎを発生させるだけでなく、温度センサーを設け、明け方の室温が低下したときには、吸気ファン１２の動作を自動的に弱運転にしたり、運転を停止したりする方法でも良く、本実施例の動作に限定されるものではない。
【図面の簡単な説明】
【００４７】
【図１】本発明の一実施例を示すまくらの斜視図である。
【図２】同じくまくらの一部断面を示す斜視図である。
【図３】同じくまくらの右側面より見た部分断面図である。
【図４】同じくまくらの正面より見た断面図である。
【符号の説明】
【００４８】
２  まくら素材
２ｂ  上部分割部
２ｃ  下部分割部
２ｄ  右下分割部
２ｅ  左下分割部
２ｆ  吸気口
２ｇ  凹部
３  立体格子空間材Ａ
３ｂ  空気層
３ｃ  端部
４  吸気ホルダー
５  まくら本体
６  立体格子空間材Ｂ
６ｂ  空気層
６ｃ  シール
７  ホース口
８  ホースホルダー
９  ホース
１０  中袋
１２  吸気ファン
１３  制御手段
１４  吸気手段
１５  操作部
【図１】
2005095360.tif 000003
【図２】
2005095360.tif 000004
【図３】
2005095360.tif 000005
【図４】
2005095360.tif 000006